(57)【特許請求の範囲】
【請求項１】
複数枚のシートを収納した収納手段と、
前記シートを掲示してホワイトボードとして利用するための掲示手段と、
前記シートに印刷する情報を入力する情報入力手段と、
前記情報入力手段を介して入力した情報を前記シートに印刷する印刷手段と、
前記収納手段，掲示手段および前記印刷手段に前記シートを搬送する搬送手段と、
前記印刷手段および搬送手段を制御し、前記シートに前記情報を印刷する処理，前記シートを前記掲示手段に搬送して掲示する処理，および前記シートを前記収納手段に搬送して収納する処理を行う制御手段と、
を備えたことを特徴とする電子黒板。
【請求項２】
さらに、前記シート収納手段に収納されたシートのいずれを前記掲示手段で掲示するかを指定する掲示シート指定手段を備え、
前記制御手段は、前記掲示シート指定手段の指定に基づいて前記搬送手段を制御し、該当するシートを前記掲示手段に搬送して掲示することを特徴とする請求項１に記載の電子黒板。
【請求項３】
前記制御手段は、前記情報入力手段を介して複数ページにわたる情報を入力した場合に、前記印刷手段および搬送手段を制御して、各ページ毎の情報をそれぞれ異なるシートに印刷すると共に、情報が印刷されたシートをそれぞれ前記収納手段に収納しておき、前記シート指定手段で特定のシートが指定されると、該当するシートを前記収納手段から前記掲示手段に搬送して掲示することを特徴とする請求項２に記載の電子黒板。
【請求項４】
前記収納手段は、前記シートが他のシートと重なり合わないように、前記シート間に所定の間隔を設けて前記複数枚のシートを収納することを特徴とする請求項１〜３のいずれか一つに記載の電子黒板。
【請求項５】
さらに、前記印刷手段で前記シートに印刷した情報または／および利用者によって書き込まれた情報を前記シートから消去する消去手段と、
前記消去手段を用いて前記情報を消去するシートを指定する消去シート指定手段と、を備え、
前記制御手段は、前記消去シート指定手段の指定に基づいて前記消去手段を制御し、該当するシートから前記情報を消去することを特徴とする請求項１〜４のいずれか一つに記載の電子黒板。
【請求項６】
さらに、前記シートに印刷された情報または／および利用者によって書き込まれた情報を読み取る読取手段と、
前記読取手段で読み取った情報を出力する出力手段と、
前記読取手段を用いて前記情報を読み取るシートを指定する読取シート指定手段と、を備え、
前記制御手段は、前記読取シート指定手段の指定に基づいて前記読取手段および出力手段を制御し、該当するシートから前記情報を読み取って出力することを特徴とする請求項１〜５のいずれか一つに記載の電子黒板。
【請求項７】
複数枚のシートを収納した収納手段と、
前記シートを掲示してホワイトボードとして利用するための掲示手段と、
前記収納手段および掲示手段に前記シートを搬送する搬送手段と、
前記搬送手段を制御し、前記シートを前記掲示手段に搬送して掲示する処理，および前記シートを前記収納手段に搬送して収納する処理を行う制御手段と、
前記シート収納手段に収納されたシートのいずれを前記掲示手段で掲示するかを指定する掲示シート指定手段と、を備え、
前記制御手段は、前記掲示シート指定手段の指定に基づいて前記搬送手段を制御し、該当するシートを前記掲示手段に搬送して掲示することを特徴とする電子黒板。
【発明の詳細な説明】
【０００１】
【発明の属する技術分野】
本発明は、ホワイトボードに文字や図等の情報を印刷しまたはホワイトボード上の情報を読み取ることができるように構成された電子黒板に関し、より詳細には、予め複数のシートに情報を印刷しておき、特定のシートを指定して、そのシートに印刷された情報を直ちに表示することができるようにした電子黒板に関する。
【０００２】
【従来の技術】
例えば会議中において、複雑な図や大量の文字を手書きでホワイトボードに書き込むことは時間を要し、不便であることから、コンピュータで予め作成しておいたデータを入力し、ホワイトボードに印刷することができるようにした電子黒板が提案されている。
【０００３】
このような電子黒板を開示した公報の一例として、実開昭６２−１６２０８０号公報『電子黒板装置』がある。この公報に開示された電子黒板装置は、ホワイトボードと、このホワイトボード面に書かれた文字等に光を照射しその反射光を感光素子に結像させるスキャナと、スキャナをホワイトボードに平行移動させるキャリッジとを備えた電子黒板装置において、上記スキャナにホワイトボードに書込みできるマーカーペンを設け、このマーカーペンをホワイトボードに対して上げ下げする作動機構と、スキャナの移動方向に対して垂直移動するスライド機構とをスキャナに設けたものである。
【０００４】
また、他の例として、実開平３−１４８７０号公報『電子黒板』がある。この公報に開示された電子黒板は、ホワイトボード上にマーカーペン等で画像を記録し、この画像をスキャナセンサで読み取って画像情報をコントローラに供給し、該コントローラが画像情報をハードコピーとして出力するようにした装置において、ホワイトボードにインクジェットを対向配置し、インクジェットをコントローラに接続したものである。
【０００５】
【発明が解決しようとする課題】
しかしながら、上述した従来の技術においては、情報をホワイトボードに印刷することができるようにして、電子黒板の利便性の向上を図っているが、上記電子黒板は任意の情報が印刷される印刷面（表示面）がボード状で固定されているタイプか、または長尺状のシートを巻き取って印刷面（表示面）を切り替えるタイプであるため、ホワイトボードを利用しつつ、同時に他の面に印刷するという処理を行うことはできないという問題点があった。すなわち、印刷面（表示面）がボード状で固定されているタイプのものは、書き込んだ情報を消去してから印刷するという処理が必要であり、長尺状のシートを巻き取って印刷面（表示面）を切り替えるタイプのものは、現在表示している面を巻き取り、新たな面を表示させてから印刷するという処理が必要であった。
【０００６】
また、長尺状のシートを巻き取って印刷面（表示面）を切りかえるタイプの電子黒板においては、予め複数の面に情報を印刷しておくことも可能であるが、ある面を表示させたい場合には１面ずつ送って所望の面を表示しなければならないため、ある面を指定してその面を直ちに表示するような操作を行うことはできず、操作上不便であるという問題点があった。加えて、シートを巻き取る際にシート同士が重なり合うため、シート同士が擦れ合うことにより、せっかく印刷した情報が消えてしまう虞もあった。
【０００７】
本発明は上記に鑑みてなされたものであって、複数枚のシートをホワイトボードとして用いることにより、あるシートを表示（掲示）した状態で同時に他のシートに印刷処理を行うことを可能とすることを第１の目的とする。
【０００８】
また、本発明は上記に鑑みてなされたものであって、複数枚のシートから特定のシートを指定し、該当するシートを直ちに表示（掲示）することができるようにすることにより、電子黒板の操作性の向上を図ることを第２の目的とする。
【０００９】
さらに、本発明は上記に鑑みてなされたものであって、シート同士が重なり合わないように複数枚のシートを収納することにより、複数枚のシートそれぞれに予め情報を印刷した場合であっても、シート同士が擦れ合って印刷した情報が消えてしまわないようにすることを第３の目的とする。
【００１０】
【課題を解決するための手段】
上記目的を達成するため、請求項１の電子黒板にあっては、複数枚のシートを収納した収納手段と、前記シートを掲示してホワイトボードとして利用するための掲示手段と、前記シートに印刷する情報を入力する情報入力手段と、前記情報入力手段を介して入力した情報を前記シートに印刷する印刷手段と、前記収納手段，掲示手段および前記印刷手段に前記シートを搬送する搬送手段と、前記印刷手段および搬送手段を制御し、前記シートに前記情報を印刷する処理，前記シートを前記掲示手段に搬送して掲示する処理，および前記シートを前記収納手段に搬送して収納する処理を行う制御手段と、を備えたものである。
【００１１】
また、請求項２の電子黒板にあっては、請求項１に記載の電子黒板において、さらに、前記シート収納手段に収納されたシートのいずれを前記掲示手段で掲示するかを指定する掲示シート指定手段を備え、前記制御手段が、前記掲示シート指定手段の指定に基づいて前記搬送手段を制御し、該当するシートを前記掲示手段に搬送して掲示するものである。
【００１２】
また、請求項３の電子黒板にあっては、請求項２に記載の電子黒板において、前記制御手段が、前記情報入力手段を介して複数ページにわたる情報を入力した場合に、前記印刷手段および搬送手段を制御して、各ページ毎の情報をそれぞれ異なるシートに印刷すると共に、情報が印刷されたシートをそれぞれ前記収納手段に収納しておき、前記シート指定手段で特定のシートが指定されると、該当するシートを前記収納手段から前記掲示手段に搬送して掲示するものである。
【００１３】
また、請求項４の電子黒板にあっては、請求項１〜３のいずれか一つに記載の電子黒板において、前記収納手段が、前記シートが他のシートと重なり合わないように、前記シート間に所定の間隔を設けて前記複数枚のシートを収納するものである。
【００１４】
また、請求項５の電子黒板にあっては、請求項１〜４のいずれか一つに記載の電子黒板において、さらに、前記印刷手段で前記シートに印刷した情報または／および利用者によって書き込まれた情報を前記シートから消去する消去手段と、前記消去手段を用いて前記情報を消去するシートを指定する消去シート指定手段と、を備え、前記制御手段が、前記消去シート指定手段の指定に基づいて前記消去手段を制御し、該当するシートから前記情報を消去するものである。
【００１５】
また、請求項６の電子黒板にあっては、請求項１〜５のいずれか一つに記載の電子黒板において、さらに、前記シートに印刷された情報または／および利用者によって書き込まれた情報を読み取る読取手段と、前記読取手段で読み取った情報を出力する出力手段と、前記読取手段を用いて前記情報を読み取るシートを指定する読取シート指定手段と、を備え、前記制御手段が、前記読取シート指定手段の指定に基づいて前記読取手段および出力手段を制御し、該当するシートから前記情報を読み取って出力するものである。
【００１６】
さらに、請求項７の電子黒板にあっては、複数枚のシートを収納した収納手段と、前記シートを掲示してホワイトボードとして利用するための掲示手段と、前記収納手段および掲示手段に前記シートを搬送する搬送手段と、前記搬送手段を制御し、前記シートを前記掲示手段に搬送して掲示する処理，および前記シートを前記収納手段に搬送して収納する処理を行う制御手段と、前記シート収納手段に収納されたシートのいずれを前記掲示手段で掲示するかを指定する掲示シート指定手段と、を備え、前記制御手段が、前記掲示シート指定手段の指定に基づいて前記搬送手段を制御し、該当するシートを前記掲示手段に搬送して掲示するものである。
【００１７】
【発明の実施の形態】
以下、本発明に係る電子黒板の一実施の形態について、添付の図面を参照しつつ詳細に説明する。
【００１８】
図１および図２は、本実施の形態に係る電子黒板１００の斜視図であり、図１は正面側から見た図を、図２は背面側から見た図をそれぞれ示している。
【００１９】
本実施の形態の電子黒板１００は、インクが定着しない例えば樹脂製のものからなる複数枚のシート１０１を収納した電子黒板本体部１０２（請求項１および請求項７の収納手段に該当する）と、電子黒板本体部１０２を支える脚部１０３を有し、シート１０１を掲示してホワイトボードとして利用するためのボード１０４（請求項１および請求項７の掲示手段に該当する：図３参照）と、図示しないホストコンピュータからシート１０１に印刷する情報を入力し、入力した情報をシート１０１に印刷する印刷部，シート１０１に印刷した情報または／および利用者によって書き込まれた情報を読み取り、読み取った情報をホストコンピュータに入力する読取部，およびシート１０１に印刷した情報または／および利用者によって書き込まれた情報を消去する消去部を有した走査部１０５（請求項１の情報入力手段および印刷手段，請求項５の消去手段，ならびに請求項６の読取手段および出力手段にそれぞれ該当する）と、を備えている。
【００２０】
なお、図１および図２において、１０６は電子黒板１００を操作するための操作部（請求項２の掲示シート指定手段，請求項５の消去シート指定手段，および請求項６の読取シート指定手段にそれぞれ該当する）を、１０７ａ，１０７ｂ，１０８ａおよび１０８ｂはシート１０１のガイドを、１０９ａおよび１０９ｂは走査部１０５を左右に動作させ、印刷・読取・消去を可能とするガイドをそれぞれ示している。
【００２１】
図３は、本実施の形態に係る電子黒板１００（電子黒板本体部１０２）の内部構成を説明する説明図である。この図３は、説明の便宜上、実際の電子黒板１００の厚みより厚くして描かれている。
【００２２】
電子黒板１００は、複数のシート１０１ａ〜１０１ｅをそれぞれ収納する収納部３００ａ〜３００ｅ（請求項１および請求項７の収納手段に該当する）と、シート１０１ａ〜１０１ｆのいずれかに情報を印刷し、シート１０１ａ〜１０１ｆに印刷した情報または／および利用者によって書き込まれた情報を読み取りまたは消去する処理を行うための印刷・読取・消去位置３０１と、ボード１０４上にシート１０１ａ〜１０１ｆのいずれかを掲示する掲示位置３０２と、印刷面を表にしてシート１０１ａ〜１０１ｆを掲示位置３０２に掲示することができるように、シート１０１ａ〜１０１ｆの向きを切り替えるための面切替位置３０３と、搬送路３０６および３０７を介して、収納部３００ａ〜３００ｅ，印刷・読取・消去位置３０１，掲示位置３０２，および面切替位置３０３の間でシート１０１ａ〜１０１ｆを搬送するための複数の搬送ローラ（図示せず）や搬送路を切り替えるための切替爪３０４ａおよび３０４ｂを有したガイド３０５（請求項１および請求項７の搬送手段に該当する）と、を有している。
【００２３】
なお、上記掲示位置３０２には、初期状態として予めシート１０１ｆが掲示されているものとし、本実施の形態の電子黒板１００には６枚のシート１０１が収納されているものとする。ただし、収納するシート１０１の数を６枚に限定するものではない。
【００２４】
また、収納部３００ａ〜３００ｅは、シート１０１ａ〜１０１ｅが重なり合うことによってそれぞれに印刷した情報が消されてしまうことがないように、所定の間隔を空けて配列されている。
【００２５】
さらに、後に詳細に説明するが、操作の便宜上、各シート１０１ａ〜１０１ｆには、掲示位置３０２で掲示された順序に従ってそれぞれシート番号が付与されることになる。具体的には、予め掲示位置３０２に掲示されているシート１０１ｆにシート「０」と設定し、次に掲示位置３０２に掲示したシートがシート１０１ａであれば、シート１０１ａにシート「１」と設定する。さらに、その次に掲示したシートがシート１０１ｂであれば、シート１０１ｂがシート「２」と設定される。また、上述した掲示順でシート番号を付与するのではなく、シートに予め物理的なシート番号を付しておくことにしても良い。
【００２６】
図４は、本実施の形態に係る電子黒板１００の制御系を示すブロック図である。図４に示すように、電子黒板１００は、上述した印刷部４０２，読取部４０３，および消去部４０４を有した走査部１０５と、走査部１０５を動作させ、印刷処理，読取処理，および消去処理を行うための走査部用駆動部４０５（請求項１の印刷手段，請求項５の消去手段，および請求項６の読取手段にそれぞれ該当する）と、図示しない搬送ローラを駆動して、シート１０１ａ〜１０１ｆを搬送するためのシート搬送用駆動部４０６（請求項１および請求項７の搬送手段に該当する）と、切替爪３０４ａおよび３０４ｂを駆動して、シート１０１ａ〜１０１ｆの搬送路を切り替えるための搬送路切替部４０７（請求項１および請求項７の搬送手段に該当する）と、操作部１０６およびホストコンピュータ４００（請求項６の出力手段に該当する）からの指示に基づいて、上記各部を制御し、ホストコンピュータ４００からシート１０１ａ〜１０１ｆに印刷するための情報をＩ／Ｆ（インターフェイス）４０１（請求項１の情報入力手段に該当する）を介して入力し、入力した情報を印刷部４０２に入力してシート１０１ａ〜１０１ｆのいずれかに印刷する印刷処理，シート１０１ａ〜１０１ｆに印刷した情報または／および利用者によって書き込まれた情報を読取部４０３で読み取ってホストコンピュータ４００に入力する読取処理，シート１０１ａ〜１０１ｆに印刷した情報または／および利用者によって書き込まれた情報を消去部４０４で消去する消去処理等を行う制御部４０８（請求項１および請求項７の制御手段に該当する）と、を有している。
【００２７】
なお、印刷部４０２は、水溶性のインクをシートに吹き付けるノズルを１ライン分有するインクジェットタイプ，マーカーペン等が取り付けられたプロッタタイプ等、樹脂製のシートに消去可能なインク等を用いて情報を印刷することができればいかなるものであっても良い。
【００２８】
消去部４０４は、ホワイトボードで一般的に用いられている黒板消しのようなもの等、印刷部４０２で印刷した情報や利用者がマーカーペン等を用いて書き込んだ情報をシート１０１から消去することができるものであればいかなるものであっても良い。
【００２９】
また、読取部４０３でシート１０１から読み取った情報をホストコンピュータ４００に出力することにしているが、電子黒板１００内にプリンタを設けることにより、読み取った情報を記録紙に印刷して出力することも可能である。
【００３０】
また、電子黒板１００に接続されたホストコンピュータ４００は、電子黒板１００の機能を利用して、電子黒板１００をプリンタやスキャナとして利用することができるように構成されている。したがって、作成した情報のうち、１ページ分の印刷を指定したり、複数ページにわたる情報の場合に全ての情報の印刷を指定したりすることができる。図４においては、ホストコンピュータ４００として、１台のコンピュータを示したが、ネットワークを介して複数台のコンピュータを接続することにしても良い。加えて、制御部４０８および操作部１０６としての機能をホストコンピュータ４００に持たせることにより、ホストコンピュータ４００で全ての操作の指定および制御を行うことができるようにすることもできる。
【００３１】
また、図４において、Ｉ／Ｆ４０１にフロッピーディスクドライブやＣＤ−ＲＯＭドライブ等を接続することにより、フロッピーディスクやＣＤ−ＲＯＭ等の各種記憶媒体に記憶された情報を読み出して、シート１０１ａ〜１０１ｆに印刷し、またはシート１０１ａ〜１０１ｆから読み取った情報を各種記憶媒体に記憶することができるように構成することも可能である。同様に、Ｉ／Ｆ４０１にスキャナを接続することにより、原稿から読み取った情報をシート１０１ａ〜１０１ｆに印刷することも可能である。
【００３２】
さらに、本実施の形態の電子黒板１００においては、シート１０１上において走査部１０５を走査することにより、印刷・読取・消去を行うことにしているが、走査部１０５、即ち印刷部４０２，読取部４０３，および消去部４０４を固定した状態でシート１０１を移動させることにより、印刷・読取・消去を行うことにしても良い。
【００３３】
図５（ａ）は、図１および図４に示した操作部１０６の構成図である。図５（ａ）において、操作部１０６は、掲示位置３０２に現在位置するシート１０１のシート番号を表示するシート番号表示部５００と、次のシート番号のシートを掲示位置３０２に掲示するための順送りボタン５０１と、前のシート番号のシートを掲示位置３０２に掲示するための逆送りボタン５０２と、シート番号を指定するシート番号指定ボタン５０３と、シート１０１ａ〜１０１ｆの全てを指定する全シート指定ボタン５０４と、シート番号指定ボタン５０３を操作してシート番号を指定した後、該当するシート番号のシートを掲示位置３０２に掲示するための掲示ボタン５０５と、シート番号指定ボタン５０３を操作してシート番号を指定した後、または全シート指定ボタン５０４を操作して全てのシートを指定した後、シートに印刷された情報または／および利用者によって書き込まれた情報の読み取りを指定する読み取りボタン５０６と、シート番号指定ボタン５０３を操作してシート番号を指定した後、または全シート指定ボタン５０４を操作して全てのシートを指定した後、シートに印刷された情報または／および利用者によって書き込まれた情報の消去を指定する消去ボタン５０７と、を有している。
【００３４】
ここで、操作部１０６による操作の一例を説明すると、シート「１」のシートを掲示位置３０２に掲示する場合にはシート番号指定ボタン５０３の「１」を選択して掲示ボタン５０５を選択する。また、全てのシートの情報を読み取りまたは消去する場合には、全シート指定ボタン５０４を選択した後、読み取りボタン５０６または消去ボタン５０７を選択する。さらに、例えば、シート「３」の情報を読み取りまたは消去する場合には、シート番号指定ボタン５０３の「３」を選択した後、読み取りボタン５０６または消去ボタン５０７を選択する。
【００３５】
また、図５（ｂ）は、操作部１０６の他の例を示す構成図である。図５（ｂ）に示す操作部１０６は、前面にタッチパネルが配設された液晶ディスプレイ等の表示部５０８を有し、この表示部５０８に各種ボタンが表示される。具体的には、シート１０１ａ〜１０１ｆ上の情報を読取部４０３で読み取ったサムネイル画像５０９と、図５（ａ）に示した掲示ボタン５０５，読み取りボタン５０６，消去ボタン５０７，順送りボタン５０１，逆送りボタン５０２，および全シート指定ボタン５０４にそれぞれ該当する掲示ボタン５１０，読み取りボタン５１１，消去ボタン５１２，順送りボタン５１４，逆送りボタン５１３，および全シート指定ボタン５１５と、が表示される。
【００３６】
サムネイル画像５０９は、読み取りボタン５１１で読み取りを指定することにより、または自動的に、読取部４０３でシート１０１ａ〜１０１ｆ上の情報を読み取って表示される。サムネイル画像５０９を表示することにより、各シートにいなかる情報が印刷または書き込まれているかを容易に認識することができる。そして、各サムネイル画像５０９は、それぞれシート番号指定ボタン５０３の役割を果たし、サムネイル画像５０９のいずれかを選択することにより、該当する番号のシートを指定することができる。また、現在掲示位置３０２に掲示されているシートに該当するサムネイル画像５０９は、該当するシートが現在掲示されいることがわかるような表示がなされる。図５（ｂ）においては、シート「１」が現在掲示されていることが示されている。
【００３７】
なお、図５（ｂ）に示したように、サムネイル画像５０９や各種ボタンを表示部５０８に表示するため、電子黒板１００には画像用のメモリや画像処理部が設けられる（図示せず）。
【００３８】
つぎに、本実施の形態に係る電子黒板の動作について、（１）シートに情報を印刷しないで使用する場合，（２）シートに情報を予め印刷しておいて使用する場合，および（３）シートを掲示した状態で他のシートに情報を印刷する場合の順で、図３を参照しつつ説明する。
【００３９】
（１）シートに情報を印刷しないで使用する場合
まず、シートに情報を印刷しないで使用する場合、即ち、本実施の形態の電子黒板を一般的なホワイトボードとして使用する場合について説明する。
【００４０】
ここでは、初期状態として、シート１０１ｆが掲示位置３０２に位置しており、このシート１０１ｆがシート「０」に設定されているものとする。利用者は、マーカーペン等を利用して、シート１０１ｆに情報を書き込むことができる。そして、シート１０１ｆ（シート「０」）から次のシート「１」に変える場合には、操作部１０６の順送りボタン５０１を選択することにより、シート「１」が掲示位置３０２に搬送される。
【００４１】
具体的には、順送りボタン５０１が選択されると、例えば、シート１０１ａが収納部３００ａから掲示位置３０２に搬送され、シート「１」に設定される。その際、シート１０１ｆ（シート「０」）は、シート１０１ａが収納されていた収納部３００ａに収納される。
【００４２】
また、シート「０」であるシート１０１ｆを再び掲示位置３０２に搬送して掲示する場合には、操作部１０６の逆送りボタン５０２またはシート番号指定ボタン５０３の「０」を選択して掲示ボタン５０５を選択することにより、シート１０１ｆが掲示位置３０２に搬送される。
【００４３】
具体的には、逆送りボタン５０２が選択されると、シート１０１ｆ（シート「０」）が収納部３００ａから掲示位置３０２に搬送される。その際、シート１０１ａ（シート「０」）は、収納部３００ａに収納される。
【００４４】
さらに、シート「０」およびシート「１」に書き込んだ情報を読み取りまたは消去する場合には、全シート指定ボタン５００を選択して読み取りボタン５０６または消去ボタン５０７を選択することにより、シート「０」であるシート１０１ｆおよびシート「１」であるシート１０１ａが印刷・読取・消去位置３０１に順次搬送され、シート「０」およびシート「１」に書き込んだ情報を読み取りまたは消去することができる。一方、例えばシート「０」であるシート１０１ｆに書き込んだ情報のみを読み取りまたは消去する場合には、シート番号指定ボタン５０３の「０」を選択して読み取りボタン５０６または消去ボタン５０７を選択することにより、シート「０」（シート１０１ｆ）が印刷・読取・消去位置３０１に搬送され、シート「０」に書き込んだ情報を読み取りまたは消去することができる。
【００４５】
（２）シートに情報を予め印刷しておいて使用する場合
続いて、シートに情報を予め印刷しておいて使用する場合について説明する。ここでは、例として、ホストコンピュータ４００で作成しておいた３ページ分の情報を３枚のシートに印刷しておく場合を例にとって説明する。
【００４６】
利用者は、ホストコンピュータ４００を操作して、予め用意しておいた３ページ分の情報の印刷を指定する。制御部４０８は、シート搬送用駆動部４０６および搬送路切替部４０７を制御して、例えば、シート１０１ａを収納部３００ａから印刷・読取・消去位置３０１に搬送路３０６を介して搬送する。そして、走査部用駆動部４０５を制御し、印刷部４０２を用いて１ページ目の情報をシート１０１ａに印刷する。
【００４７】
その後、制御部４０８は、１ページ目の情報が印刷されたシート１０１ａをシート「１」として設定し、搬送路３０７を介して掲示位置３０２に搬送する。同時に、掲示位置３０２に位置していたシート１０１ｆを、搬送路３０６を介して収納部３００ａに搬送する。なお、シート「０」は掲示位置３０２に最初に掲示されていたシート１０１ｆに設定されている。
【００４８】
続いて、制御部４０８は、シート搬送用駆動部４０６および搬送路切替部４０７を制御して、シート１０１ｂを収納部３００ｂから印刷・読取・消去位置３０１に搬送路３０６を介して搬送する。そして、走査部用駆動部４０５を制御し、印刷部４０２を用いて２ページ目の情報をシート１０１ｂに印刷する。
【００４９】
その後、制御部４０８は、２ページ目の情報が印刷されたシート１０１ｂをシート「２」として設定し、搬送路３０７を介して搬送し、収納部３００ｂに収納する。
【００５０】
さらに、制御部４０８は、シート１０１ｂの場合と同様な処理を行うことにより、シート１０１ｃに３ページ目の情報を印刷してシート「３」として設定し、収納部３００ｃに収納する。
【００５１】
利用者は、掲示位置３０２に１ページ目の情報が印刷されたシート１０１ａ（シート「１」）が掲示されているため、このシート１０１ａを用いて直ちに会議等を行うことができる。この際、利用者自身がマーカーペンを用いてシート１０１ａに情報を書き込むことができる。
【００５２】
続いて、２ページ目の情報が印刷されたシート１０１ｂ（シート「２」）を掲示したい場合には、順送りボタン５０１を選択することにより、シート１０１ｂを掲示位置３０２に掲示することができる。このとき制御部４０８は、シート１０１ｂの印刷面を表にして掲示位置３０２に掲示することができるようにするため、シート１０１ｂを一度面切替位置３０３に搬送してシート１０１ｂの面の向きを切り替えた後、掲示位置３０２に搬送する。なお、シート１０１ａ（シート「１」）は、収納部１０２ｂに搬送されて収納される。
【００５３】
また、シート１０１ａ（シート「１」）が掲示位置３０２に掲示されている状態で、３ページ目の情報が印刷されたシート１０１ｃ（シート「３」）を掲示位置３０２に掲示したい場合には、シート番号指定ボタン５０３の「３」を選択し、掲示ボタン５０５を選択することにより、シート「３」として設定したシート１０１ｃを掲示位置３０２に掲示することができる。
【００５４】
なお、各シート１０１ａ〜１０１ｃに印刷された情報または／および利用者が書き込んだ情報を読み取りまたは消去する場合の操作については、上述したとおりであるため、ここではその説明を省略する。また、ここでは複数ページにわたる情報を複数枚のシートに印刷しておく場合について説明したが、１ページの情報を１枚のシートに印刷する場合については、上述した１ページ目の情報をシート１０１ａに印刷する場合と同様であるため、その説明を省略する。
【００５５】
（３）シートを掲示した状態で他のシートに情報を印刷する場合
さらに、シートを掲示した状態で他のシートに情報を印刷する場合について説明する。
【００５６】
ここでは、初期状態として、シート１０１ｆが掲示位置３０２に位置しており、このシート１０１ｆがシート「０」に設定されているものとする。この状態で他のシート１０１ａ〜１０１ｅのいずれかに情報を印刷する場合、利用者は、ホストコンピュータ４００を操作して、予め用意しておいた情報の印刷を指定する。
【００５７】
制御部４０８は、シート搬送用駆動部４０６および搬送路切替部４０７を制御して、例えば、シート１０１ａを収納部３００ａから印刷・読取・消去位置３０１に搬送路３０６を介して搬送する。そして、走査部用駆動部４０５を制御し、印刷部４０２を用いて情報をシート１０１ａに印刷する。
【００５８】
その後、制御部４０８は、情報が印刷されたシート１０１ａをシート「１」として設定し、搬送路３０７を介して搬送し、シート１０１ａが元々収納されていた収納部３００ａに収納する。
【００５９】
他のシート１０１ｂ〜１０１ｅに情報を印刷する場合においても、上記と同様の処理を行えば良い。
【００６０】
なお、情報が印刷されたシート１０１を掲示位置３０２に掲示する処理や、各シート１０１に印刷された情報または／および利用者が書き込んだ情報を読み取りまたは消去する場合の操作については、上述したとおりであるため、ここではその説明を省略する。
【００６１】
このように、本実施の形態の電子黒板１００によれば、シート１０１の掲示位置３０２以外の位置でシート１０１に情報を印刷したり、シート１０１の情報の読み取りおよび消去を行うことができるため、他のシート１０１を掲示した状態で所望の処理を行うことができ、電子黒板の利便性の向上を図ることができる。
【００６２】
また、本実施の形態の電子黒板１００によれば、複数枚のシート１０１から特定のシート１０１を指定し、該当するシート１０１を直ちに掲示することができるため、掲示に要する時間を短縮することができ、電子黒板の操作性の向上を図ることができる。
【００６３】
また、本実施の形態の電子黒板１００によれば、特定のシート１０１を指定して情報の読み取りおよび消去を行うことができるため、電子黒板の操作性の向上を図ることができる。
【００６４】
また、本実施の形態の電子黒板１００によれば、収納部３００ａ〜３００ｅにおいて、複数枚のシート同士が重なり合わないように収納されるため、印刷した情報が消えてしまわないようにすることができる。
【００６５】
さらに、本実施の形態の電子黒板１００によれば、ホストコンピュータ４００で作成した情報と利用者が書き込んだ情報をシート１０１から読み取って、ホストコンピュータ４００に入力することができるため、ホストコンピュータ４００で情報を再利用することができる。
【００６６】
なお、本実施の形態の電子黒板１００は、本発明に係る電子黒板の構成の一例を示すものであって、上述した構成に限定されるものではない。また、本発明に係る電子黒板は、容易に書き換え可能な掲示板としても利用することができる。
【００６７】
【発明の効果】
以上説明したように、本発明の電子黒板（請求項１）によれば、複数枚のシートを収納した収納手段と、シートを掲示してホワイトボードとして利用するための掲示手段と、シートに印刷する情報を入力する情報入力手段と、情報入力手段を介して入力した情報をシートに印刷する印刷手段と、収納手段，掲示手段および印刷手段にシートを搬送する搬送手段と、印刷手段および搬送手段を制御し、シートに情報を印刷する処理，シートを掲示手段に搬送して掲示する処理，およびシートを収納手段に搬送して収納する処理を行う制御手段と、を備えたため、あるシートを掲示した状態で同時に他のシートに印刷処理を行うことができると共に、予め複数のシートに情報を印刷しておくことができる。
【００６８】
また、本発明の電子黒板（請求項２）によれば、請求項１に記載の電子黒板において、さらに、シート収納手段に収納されたシートのいずれを掲示手段で掲示するかを指定する掲示シート指定手段を備え、制御手段が、掲示シート指定手段の指定に基づいて搬送手段を制御し、該当するシートを掲示手段に搬送して掲示するため、所望の情報が書き込まれたシートを直ちに掲示することができ、電子黒板の操作性の向上を図ることができる。
【００６９】
また、本発明の電子黒板（請求項３）によれば、請求項２に記載の電子黒板において、制御手段が、情報入力手段を介して複数ページにわたる情報を入力した場合に、印刷手段および搬送手段を制御して、各ページ毎の情報をそれぞれ異なるシートに印刷すると共に、情報が印刷されたシートをそれぞれ収納手段に収納しておき、シート指定手段で特定のシートが指定されると、該当するシートを収納手段から掲示手段に搬送して掲示するため、所望の情報が印刷されたシートを直ちに掲示することができ、電子黒板の操作性の向上を図ることができる。
【００７０】
また、本発明の電子黒板（請求項４）によれば、請求項１〜３のいずれか一つに記載の電子黒板において、収納手段が、シートが他のシートと重なり合わないように、シート間に所定の間隔を設けて複数枚のシートを収納するため、複数枚のシートそれぞれに予め情報を印刷した場合であっても、シート同士が擦れ合って印刷した情報が消えてしまわないようにすることができる。
【００７１】
また、本発明の電子黒板（請求項５）によれば、請求項１〜４のいずれか一つに記載の電子黒板において、さらに、印刷手段でシートに印刷した情報または／および利用者によって書き込まれた情報をシートから消去する消去手段と、消去手段を用いて情報を消去するシートを指定する消去シート指定手段と、を備え、制御手段が、消去シート指定手段の指定に基づいて消去手段を制御し、該当するシートから情報を消去するため、所望のシートの情報を直ちに消去することができ、電子黒板の操作性の向上を図ることができる。
【００７２】
また、本発明の電子黒板（請求項６）によれば、請求項１〜５のいずれか一つに記載の電子黒板において、さらに、シートに印刷された情報または／および利用者によって書き込まれた情報を読み取る読取手段と、読取手段で読み取った情報を出力する出力手段と、読取手段を用いて情報を読み取るシートを指定する読取シート指定手段と、を備え、制御手段が、読取シート指定手段の指定に基づいて読取手段および出力手段を制御し、該当するシートから情報を読み取って出力するため、所望のシートの情報を直ちに読み取ることができ、電子黒板の操作性の向上を図ることができる。
【００７３】
さらに、本発明の電子黒板（請求項７）によれば、複数枚のシートを収納した収納手段と、シートを掲示してホワイトボードとして利用するための掲示手段と、収納手段および掲示手段にシートを搬送する搬送手段と、搬送手段を制御し、シートを掲示手段に搬送して掲示する処理，およびシートを収納手段に搬送して収納する処理を行う制御手段と、シート収納手段に収納されたシートのいずれを掲示手段で掲示するかを指定する掲示シート指定手段と、を備え、制御手段が、掲示シート指定手段の指定に基づいて搬送手段を制御し、該当するシートを掲示手段に搬送して掲示するため、所望の情報が書き込まれたシートを直ちに掲示することができ、電子黒板の操作性の向上を図ることができる。
【図面の簡単な説明】
【図１】本発明の実施の形態に係る電子黒板を正面側から見た斜視図である。
【図２】本発明の実施の形態に係る電子黒板を背面側から見た斜視図である。
【図３】本発明の実施の形態に係る電子黒板の内部構成を説明する説明図である。
【図４】本発明の実施の形態に係る電子黒板の制御系を示すブロック図である。
【図５】本発明の実施の形態に係る電子黒板において、（ａ）および（ｂ）は操作部の構成を示す構成図である
【符号の説明】
１００      電子黒板
１０１，１０１ａ〜１０１ｆ      シート
１０２      電子黒板本体部
１０３      脚部
１０４      ボード
１０５      走査部
１０６      操作部
３００ａ〜３００ｅ      収納部
３０１      印刷・読取・消去位置
３０２      掲示位置
３０３      面切替位置
３０５      ガイド
４００      ホストコンピュータ
４０１      Ｉ／Ｆ
４０２      印刷部
４０３      読取部
４０４      消去部
４０５      走査部用駆動部
４０６      シート搬送用駆動部
４０７      搬送路切替部
４０８      制御部
５００      シート番号表示部
５０１，５１４      順送りボタン
５０２，５１３      逆送りボタン
５０３      シート番号指定ボタン
５０４，５１５      全シート指定ボタン
５０５，５１０      掲示ボタン
５０６，５１１      読み取りボタン
５０７，５１２      消去ボタン
５０８      表示部
５０９      サムネイル画像
【図１】
0003683686.tif 000002
【図２】
0003683686.tif 000003
【図３】
0003683686.tif 000004
【図４】
0003683686.tif 000005
【図５】
0003683686.tif 000006